(57)【要約】  軸Ａを中心に互いに対して回転的に移動可能な三相部分（１１）および二相部分（１２）を含む三相／二相回転変圧器（１０）であって、  三相部分（１１）は強磁性体で作られた第１の本体および三相コイル（２４、２５、２６、２７）を含み、二相部分（１２）は強磁性体で作られた第２の本体および二相コイル（２８、２９、３０、３１）を含み、  第２の本体は軸Ａの第１の環状スロット（３４）および軸Ａの第２の環状スロット（３５）を画定し、二相コイルは第１のスロット（３４）内の軸Ａの第１のトロイダルコイル（２９）と、第１のスロット（３４）内の軸Ａの第２のトロイダルコイル（２８）と、第２のスロット（３５）内の軸Ａの第３のトロイダルコイル（３０）と、第２のスロット（３５）内の軸Ａの第４のトロイダルコイル（３１）とを含み、第１のコイル（２９）および第４のコイル（３１）は直列に接続されており、第２のコイル（２８）および第３のコイル（３０）は直列に接続されている、変圧器。
2015519748.tif 000002
【特許請求の範囲】
【請求項１】
軸Ａを中心に互いに対して回転的に移動可能な三相部分（１１）および二相部分（１２）を含む三相／二相回転変圧器（１０、１１０）であって、
三相部分（１１）は強磁性体で作られた第１の本体および三相コイル（２４、２５、２６、２７）を含み、二相部分（１２）は強磁性体で作られた第２の本体および二相コイル（２８、２９、３０、３１）を含み、
第２の本体は軸Ａの第１の環状スロット（３４）および軸Ａの第２の環状スロット（３５）を画定し、第１のスロット（３４）は第１の側脚（１４）、中央脚（１５）、およびリング（１３）によって画定され、第２のスロット（３５）は中央脚（１５）、第２の側脚（１６）、およびリング（１３）によって画定され、
二相コイルは第１のスロット（３４）内の軸Ａの第１のトロイダルコイル（２９）と、第１のスロット（３４）内の軸Ａの第２のトロイダルコイル（２８）と、第２のスロット（３５）内の軸Ａの第３のトロイダルコイル（３０）と、第２のスロット（３５）内の軸Ａの第４のトロイダルコイル（３１）とを含み、第１のコイル（２９）および第２のコイル（３１）は直列に接続されており、第２のコイル（２８）および第３のコイル（３０）は直列に接続されており、
コイルの巻き方向および接続方向を前提として、第１のコイル（２９）および第４のコイル（３１）内を流れる電流は、第１のコイル（２９）については第１の磁位に、第４のコイル（３１）については第１の磁位と逆の第２の磁位に対応し、第２のコイル（２８）および第３のコイル（３０）内を流れる電流は、第２のコイル（２８）については第３の磁位に対応し、第３のコイル（３０）については第２の磁位と逆の第４の磁位に対応する、変圧器。
【請求項２】
第１のコイル（２９）および第３のコイル（３０）は各々が巻き数ｎａを有し、第２のコイル（２８）および第４のコイル（３１）は各々が巻き数ｎｂを有し、ｎａ＝（２＋√３）ｎｂである、請求項１に記載の変圧器。
【請求項３】
三相部分（１１）が軸Ａを中心とする二相部分（１２）を包囲し、またはその逆である、請求項１または２に記載の変圧器（１０）。
【請求項４】
三相部分（１１）および二相部分（１２）が、軸Ａの方向で互いに隣り合って位置する、請求項１または２に記載の変圧器（１１０）。
【請求項５】
強磁性体で作られた第１および第２の本体が、三相コイルおよび二相コイルを完全に包囲する、請求項１から４のいずれか一項に記載の変圧器（１０、１１０）。
【請求項６】
第１の本体が軸Ａの第３の環状スロット（２２）および軸Ａの第４の環状スロット（２３）を画定し、第３のスロット（２２）は第３の側脚（１８）、第２の中央脚（１９）、および第２のリング（１７）によって画定されており、第４のスロット（２３）は第２の中央脚（１９）、第４の側脚（２０）、および第２のリング（１７）によって画定されており、
三相コイルは、第３のスロット（２２）内の軸Ａの第５のトロイダルコイル（２４）と、第３のスロット（２２）内の軸Ａの第６のトロイダルコイル（２５）と、第４のスロット（２３）内の軸Ａの第７のトロイダルコイル（２６）と、第４のスロット（２３）内の軸Ａの第８のトロイダルコイル（２７）とを含み、第６のコイル（２５）および第７のコイル（２６）は直列に接続されている、請求項１から５のいずれか一項に記載の変圧器（１０、１１０）。
【請求項７】
二相部分が少なくとも１セットの三相コイルをさらに含む、請求項１から６のいずれか一項に記載の変圧器。
【発明の詳細な説明】
【技術分野】
【０００１】
本発明は変圧器の一般的な分野に関する。具体的には、本発明は三相／二相変圧器に関する。
【背景技術】
【０００２】
特定の状況において、三相電源から二相電源へエネルギーを平衡をとって伝達する必要がある場合がある。三相／二相固定変圧器がすでに存在しており、１つはスコット結線として知られ、他方はルブラン結線回路として知られている。それでもなお、三相／二相回転変圧器は存在していない。
【０００３】
この機能を実行するために、１つの解決法は、三相／二相固定変圧器、および２つの単相回転変圧器を使用することからなる。別の解決法は、ルブラン結線を使用して３つの単相回転変圧器を使用することからなる。
【発明の概要】
【発明が解決しようとする課題】
【０００４】
これらの解決法はいずれも大きな重量および体積を必要とする。さらに、第１の解決法にはスイッチオン時の残留磁化および電流サージの問題がある。
【０００５】
三相電源から二相電源へエネルギーを平衡をとって伝達できるようにする、改善された解決法の必要性が存在する。
【課題を解決するための手段】
【０００６】
本発明は、軸Ａを中心に互いに対して回転的に移動可能な三相部分および二相部分を含む、三相／二相回転変圧器であって、
三相部分は強磁性体で作られた第１の本体および三相コイルを含み、二相部分は強磁性体で作られた第２の本体および二相コイルを含み、
第２の本体は軸Ａの第１の環状スロットおよび軸Ａの第２の環状スロットを画定し、第１のスロットは第１の側脚、中央脚、およびリングによって画定され、第２のスロットは中央脚、第２の側脚、およびリングによって画定され、
二相コイルは第１のスロット内の軸Ａの第１のトロイダルコイルと、第１のスロット内の軸Ａの第２のトロイダルコイルと、第２のスロット内の軸Ａの第３のトロイダルコイルと、第２のスロット内の軸Ａの第４のトロイダルコイルとを含み、第１のコイルおよび第２のコイルは直列に接続されており、第２のコイルおよび第３のコイルも直列に接続されており、
コイルの巻き方向および接続方向を前提として、第１のコイルおよび第４のコイル内を流れる電流は、第１のコイルについては第１の磁位に、第４のコイルについては第１の磁位と逆の第２の磁位に対応し、第２のコイル内および第３のコイル内を流れる電流は、第２のコイルについては第３の磁位に、第３のコイルについては第２の磁位と逆の第４の磁位に対応する、三相／二相回転変圧器を提案する。
【０００７】
このため、一方が他方に対して回転する２つの基準枠間の三相／二相変換および伝達は、いずれも同じ三相／二相回転変圧器内で実行される。この変圧器は、限られた重量および体積を有する。
【０００８】
有利なことに、第１のコイルおよび第３のコイルは各々が巻き数ｎａを有し、第２のコイルおよび第４のコイルは各々が巻き数ｎｂを有し、ｎａ＝（２＋√３）ｎｂである。
【０００９】
このような状況において、変圧器は平衡のとれた三相／二相回転伝達の実行が可能である。
【００１０】
一実施形態において、三相部分は軸Ａを中心とする二相部分を包囲し、またはその逆である。これは、「Ｕ字型」であると称される変圧器の作製に対応する。
【００１１】
三相部分および二相部分は、軸Ａの方向で互いに隣り合って位置してもよい。これは、「Ｅ字型」または「ポット型」であると称される変圧器の作製に対応する。
【００１２】
一実施形態において、強磁性体で作られた第１および第２の本体は、三相および二相コイルを完全に包囲する。このような状況において、変圧器は磁気的に遮蔽されている。
【００１３】
一実施形態において、第１の本体は軸Ａの第３の環状スロットおよび軸Ａの第４の環状スロットを画定し、第３のスロットは第３の側脚、第２の中央脚、および第２のリングによって画定されており、第４のスロットは第２の中央脚、第４の側脚、および第２のリングによって画定されており、
三相コイルは、第３のスロット内の軸Ａの第５のトロイダルコイルと、第３のスロット内の軸Ａの第６のトロイダルコイルと、第４のスロット内の軸Ａの第７のトロイダルコイルと、第４のスロット内の軸Ａの第８のトロイダルコイルとを含み、第６のコイルおよび第７のコイルは直列に接続されている。
【００１４】
このような状況において、三相部分は、変圧器の体積および重量の制限に寄与するトポロジーを有する。さらに、変圧器はトロイダルコイルのみを使用して作製されることが可能であり、したがってより複雑な形状のコイルを必要としない。
【００１５】
一実施形態において、二相部分は少なくとも１セットの三相コイルをさらに含む。既知のように、変圧器は複数の二次側を有してもよい。この例において、平衡のとれた二相二次側および少なくとも１つの三相二次側の使用は、任意の数の電源に対する平衡のとれた伝達が実行されることを可能にする。
【００１６】
本発明のその他の特徴および利点は、非限定的特徴を有する実施を示す、添付図面を参照してなされる以下の説明より明らかになる。
【図面の簡単な説明】
【００１７】
【図１】本発明の第１の実施形態における強制鎖交磁束を備える磁気遮蔽三相／二相回転変圧器の断面図である。
【図２】図１の変圧器の磁気回路の分解斜視図である。
【図３Ａ】図１の変圧器のコイルを接続する変形例を示す電気回路図である。
【図３Ｂ】図１の変圧器のコイルを接続する変形例を示す電気回路図である。
【図３Ｃ】図１の変圧器のコイルを接続する変形例を示す電気回路図である。
【図３Ｄ】図１の変圧器のコイルを接続する変形例を示す電気回路図である。
【図３Ｅ】図１の変圧器のコイルを接続する変形例を示す電気回路図である。
【図４Ａ】コイルの位置決め変形例における図１の詳細を示す図である。
【図４Ｂ】コイルの位置決め変形例における図１の詳細を示す図である。
【図４Ｃ】コイルの位置決め変形例における図１の詳細を示す図である。
【図５】本発明の第２の実施形態における強制鎖交磁束を備える磁気遮蔽三相／二相回転変圧器の断面図である。
【図６】図５の変圧器の磁気回路の分解斜視図である。
【発明を実施するための形態】
【００１８】
図１は、本発明の第１の実施形態における回転変圧器１０の断面図である。変圧器１０は、強制鎖交磁束を有する磁気遮蔽三相／二相回転変圧器である。
【００１９】
変圧器１０は、軸Ａを中心に互いに対して回転するのに適した三相部分１１および二相部分１２を含む。一例として、部分１１はステータであり、部分１２はロータであり、その逆であってもよい。一変形例において、部分１１および部分１２はいずれも、基準となる固定枠（図示せず）に対して回転的に移動可能である。
【００２０】
部分１２は、軸Ａのリング１３、ならびに強磁性体で作られた３つの脚１４、１５、および１６を含む。脚１４、１５、および１６の各々は、リング１３から始まって、軸Ａから離れる方へ半径方向に延在する。脚１４はリング１３の一端にあり、脚１６はリング１３の他端にあり、脚１５は脚１４および１６の間に位置している。リング１３ならびに脚１４および１５は、半径方向外側方向に開放している環状スロット３４を画定する。リング１３ならびに脚１５および１６は、半径方向外側方向に開放している環状スロット３５を画定する。通常のやり方で、リング１３ならびに脚１４、１５、および１６は、半径方向外側方向に開放している２つの環状スロット３４および３５を画定する、強磁性体の本体を形成する。
【００２１】
部分１１は、軸Ａのリング１７、ならびに強磁性体で作られた３つの脚１８、１９、および２０を含む。リング１７はリング１３を包囲する。脚１８、１９、および２０の各々は、リング１７から始まって、軸Ａに向かって半径方向に延在する。脚１８はリング１７の一端にあり、脚２０はリング１７の他端にあり、脚１９は脚１８および２０の間に位置している。リング１７、ならびに脚１８および１９は、半径方向内側方向に開放している環状スロット２２を画定する。リング１７ならびに脚１９および２０は、半径方向内側方向に開放している環状スロット２３を画定する。通常のやり方で、リング１７、ならびに脚１８、１９、および２０は、半径方向内側方向に開放している２つの環状スロット２２および２３を画定する、強磁性体の本体を形成する。
【００２２】
脚１４および１８、１５および１９、ならびに１６および２０もまた、空隙２１を画定するように互いに対向しており、これにより変圧器１０の柱を形成する。
【００２３】
リング１３および１７は脚１４から１６、および１８から２０とともに、変圧器１０の磁気回路を形成する。変圧器１０はこのように、３柱変圧器である。より正確には、変圧器１０の磁気回路は、第１の柱（脚１４および１８に対応）、第２の柱（脚１５および１９に対応）、および第３の柱（脚１６および２０に対応）を有する。図２は、図１０の変圧器の磁気回路を示す分解斜視図である。
【００２４】
再び図１を参照すると、三相部分１１はコイル２４、２５、２６、および２７を含み、二相部分１２はコイル２８、２９、３０、および３１を含む。以下、表記ｐおよびｓは、コイル２４から２７が変圧器１０の一次コイルでありコイル２８から３１が変圧器１０の二次コイルである構成を参照して、使用される。それでもなお、一次側および二次側は当然ながら、記載される例に対応して入れ替えられてもよい。
【００２５】
コイル２４は、変圧器１０の位相Ｕｐに対応する軸Ａのトロイダルコイルである。これはスロット２２内に位置している。コイル２５は軸Ａのトロイダルコイルであり、これはスロット２２内に位置している。コイル２６は軸Ａのトロイダルコイルであり、スロット２３内に位置しており、これはコイル２５と直列に接続されている。コイル２５および２６は、変圧器１０の位相Ｖｐに対応する。最後に、コイル２７は、変圧器１０の位相Ｗｐに対応する軸Ａのトロイダルコイルである。コイル２７は、スロット２３内に位置している。コイル２４から２７の各々は、ｎ１の巻き数を有する。
【００２６】
用語「軸Ａのトロイダルコイル」は、軸Ａを中心に巻回されるコイルを意味するように使用される。本明細書において、用語「トロイダル」は、軸を中心に円を回転させることによって生じるような実体を指す、限定的な意味で使用されるものではない。反対に、図示される例のように、トロイダルコイルの断面は、具体的には長方形であってもよい。
【００２７】
コイル２８は軸Ａのトロイダルコイルであり、これはスロット３４内に位置している。コイル２９は軸Ａのトロイダルコイルであり、これはスロット３４内に位置している。コイル３０は軸Ａのトロイダルコイルであり、これはスロット３５内に位置している。最後に、コイル３１は軸Ａのトロイダルコイルであり、これはスロット３５内に位置している。コイル２８およびコイル３０は、直列に接続されており、二相部分１２の位相Ｖ１に対応する。同様に、コイル２９およびコイル３１は直列に接続されており、二相部分１２の位相Ｖ２に対応する。
【００２８】
コイル２４、２５、２８、および２９は、リング１３内に位置する磁心３２を包囲する。用語「磁心」は、コイルによって生成された同じ方向の磁束が多数を占める、磁気回路の部分を意味するように使用される。このためコイル２４および２５内を流れる電流は、磁心３２内の磁位に対応する。同様に、コイル２６、２７、３０、および３１は、リング１３内に位置する磁心３３を包囲する。コイル２６および２７内を流れる電流は、磁心３３内の磁位に対応する。
【００２９】
図３Ａを参照して、変圧器１０がどのように動作するかの説明が続く。以下、および図３において、以下の表記が使用される：
・Ａｐ、Ｂｐ、およびＣｐは、変圧器１０の三相コイルの入力点である。図１の位相Ｕ、Ｖ、およびＷは、図３Ａの位相Ａ、Ｂ、およびＣにそれぞれ対応するが、しかしその他すべてのタイプの対応が可能である。
【００３０】
・Ｉａｐ、Ｉｂｐ、およびＩｃｐは、点Ａｐ、Ｂｐ、およびＣｐにおけるそれぞれの入力電流である。
【００３１】
・Ｖａｐは、三相部分１１の位相Ａの電圧である。
【００３２】
・Ｏａｐ、Ｏｂｐ、およびＯｃｐは、全種類の固定三相変圧器（星形−星形、星形−三角、三角−三角、三角−星形、千鳥型など）と同一の可能な電気的結合をなす接続点である。
【００３３】
・黒点は、コイル内を流れる電流と対応する磁位の方向との間の関係を示す。点がコイルの左にある場合、コイルは、生成された磁位が入力電流と同じ方向になるような方向に巻き付けられる（時計回り巻線）。点がコイルの左にある場合には、巻き方向は、生成された磁位を入力電流に対して逆方向にさせる（反時計回りの巻線）。
【００３４】
・Ｐａ、−Ｐｂ、Ｐｂ、およびＰｃは、コア３２および３３が電流Ｉａｐ、Ｉｂｐ、およびＩｃｐにそれぞれ対応する磁位である。
【００３５】
・ｎａは、コイル２９および３０の巻き数である。
【００３６】
・ｎｂは、コイル２８および３１の巻き数である。
【００３７】
・ｎｔ＝ｎａ＋ｎｂは、各位相Ｖ１およびＶ２の合計巻き数である。
【００３８】
・Ｉｓ１、Ｉｓ２は、二相部分１２の位相Ｖ１およびＶ２におけるそれぞれの電流である。
【００３９】
・Ｖｓ１、Ｖｓ２は、二相部分１２の位相Ｖ１およびＶ２のそれぞれの電圧である。
【００４０】
図３Ａに示されるコイル２５および２６の巻き方向および直列接続を前提として、電流Ｉｂｐは、コア３２において磁位Ｐａの逆の方向の磁位−Ｐｂに、およびコア３３において磁位Ｐｃの逆の方向の磁位Ｐｂに対応する。
【００４１】
図３Ｂから図３Ｅは、三相一次側のみが示される、図３Ａと類似の図であり、これらは同じ効果を得ることが可能な直列接続および巻き方向の変形例を示す。
【００４２】
このため変圧器１０は、係数が等しく各磁心３２および３３上で逆方向にあり、２つの磁心間の対称軸Ｂに対して対称的である、磁位Ｐａ、Ｐｂ、およびＰｃを生成することを可能にする。
【００４３】
図３Ａから図３Ｅの巻線トポロジーを備える磁気回路によって実行される磁気結合は、単相変圧器に対する強制磁束を備える固定三相変圧器上で生成される磁束上に、同じ３／２結合係数を有することを可能にする。最良の結合係数を有するためには、主に空隙のため、磁気柱の各々の磁気抵抗が等しくなければならない。具体的には、強制磁束を有する固定三相変圧器と同様に、柱の各々において磁性体の磁気抵抗よりも高い、同等の磁気抵抗を作り出す必要がある。回転変圧器において、これは当然ながら空隙によって実現される。
【００４４】
変圧器１０の三相部分１１の位相は、インダクタンスおよび抵抗において平衡がとれていてもよい。
【００４５】
具体的には、磁気回路の幾何形状は各半コイルにおける磁束の半分を相殺するのに役立つので、合計２＊ｎ１の巻き数のコイル２５および２６によって形成される位相のインダクタンスは、それでもなおｎ１の巻き数のその他の位相のインダクタンスと等しい。より正確には、コイル２５はコイル２４と同じ巻き数を有して同じ磁気回路を見ることになり、コイル２６およびコイル２７についても同じことが該当する。しかしながら、コイル２４および２７は同じ巻き数を備えて対称的であり、したがってそれらのインダクタンスは等しい。コイル２５は、コイル２６と反対の方向に巻き付けられ、したがって（脚１５および１９によって形成された）中央柱の並列接続のため、その磁束の半分が相殺されており、コイル２６にも同じことが該当する。このためコイル２５および２６の総インダクタンスは、コイル２４および２７の総インダクタンスに等しい。
【００４６】
抵抗は、コイルの導体の断面を適切なやり方で選択することによって、平衡をとることが可能である。ｎ１の巻き数の相ＵおよびＷの断面は等しいが、その一方で２＊ｎ１の巻き数の相Ｖの断面は先の断面の２倍である。具体的には、平衡のとれた抵抗を位相内に保存するために、２倍の長さの位相はまた、そのさらなる長さを補償するために２倍の断面積も有する必要がある。
【００４７】
二相側では、磁束が適切に鎖交されることを保証するために、磁心３２および３３の各々にわたって分配された、所与の位相内の２つのコイルの各々のアンペア回数（磁位）を、逆方向のものにする必要がある。電流方向および巻き方向のいくつかの構成は、この条件が満たされることを可能にする。ｎａ＝（２＋√３）ｎｂの比では、二相部分１２における電圧は同じ値であり、これらは直交している。各位相Ｖ１およびＶ２は同じコイル巻き数ｎｔを有しており、したがってこれは磁気回路に対して対称的である。抵抗ならびに各位相の自己および相互インダクタンスは、このように平衡が保たれる。同様に、幾何形状により、漏れインダクタンスもまた平衡が保たれる。
【００４８】
言い換えると、比ｎａ＝（２＋√３）ｎｂは、三相電源から二相電源へエネルギーおよび／または信号を平衡をとって伝送することを可能にする。
【００４９】
アンペア回数の方向に関する上述の条件が満たされた場合、変圧器１０の構成は二相側の電圧と電流との間の直交位相（±π／２の相互位相ずれ）に対しては作用せず、三相部分１１と二相部分１２との間の位相差のみに作用する。
【００５０】
電流の比は、
【数１】
2015519748.tif 000003
によって求められる。
【００５１】
電圧の比は、
【数２】
2015519748.tif 000004
によって求められる。
【００５２】
このため変圧器１０は、複数の固定および回転変圧器を含む回路を必要とすることなく、互いに対して回転する三相電源と二相電源との間でエネルギーおよび／または信号を平衡をとって伝達するのに役立つ。
【００５３】
変圧器１０はその他の利点も有する。具体的には、磁気回路がコイル２４から３１を完全に包囲することがわかる。このため変圧器１０は磁気的に遮蔽されている。さらに、コイル２４から３１はすべて軸Ａのトロイダルコイルである。したがって変圧器１０は、より複雑な形状のコイルを必要としない。最後に、変圧器１０は減少した重量および体積を有する。
【００５４】
図１に示されるコイル２４から３１の位置は一例を構成するが、その他の位置も適切であり得る。図１の詳細ＩＶに対応する図４Ａから図４Ｃは、コイル２４から３１の位置決めのそれぞれ異なる可能性を示す。
【００５５】
図４Ａにおいて、スロット２２または２３内で、三相コイルは軸方向において互いに隣り合っており、これらは反対方向に巻き付けられている。二相コイルもまた軸方向において互いに隣り合っており、これらは反対方向に巻き付けられている。
【００５６】
図６Ｂにおいて、スロット２２または２３内で、三相コイルは軸Ａを中心に互いに巻き付けられており、これらは反対方向に巻き付けられている。二相コイルは軸Ａに対して互いの周りにあって、これらは同じ方向に巻き付けられている。
【００５７】
図６Ｃにおいて、スロット２２または２３内で、三相コイルは軸方向において互いに隣り合っており、これらは同じ方向に巻き付けられている。二相コイルもまた軸方向において互いに隣り合っており、これらは同じ方向に巻き付けられている。
【００５８】
図示されていない変形例において、スロット２２または２３内のコイルは混在している。
【００５９】
さらに、図４Ａから図４Ｃのいずれか１つにおける三相コイルの位置決めは、図４Ａから図４Ｃの各々における二相コイルの位置決めと組み合わせられてもよい。
【００６０】
図５は、本発明の第２の実施形態における変圧器１１０を示す。変圧器１１０は、図１の「Ｕ字型」変圧器１０の「Ｅ字型」または「ポット型」変形例であると見なされてもよい。したがって、混同する危険性を伴わずに図５および図１と同じ参照番号が使用され、変圧器１１０の詳細な説明は省略される。変圧器１１０の磁気回路の分解斜視図である図６に見られるように、参照番号１３および１７は２つの軸方向に離間したリングに対応し、脚１４から１６および１８から２０は２つのリング１３および１７の間で軸方向に延在すること、およびこの例の磁心は柱内に位置していることが、言及されるのみである。
【００６１】
変圧器の分野において既知のように、変圧器は複数の二次側を有してもよい。このため、図示されない実施形態において、変圧器はその一次側に三相部分を含み、その二次側には、変圧器１０の部分１２と同じ磁気構造を有する部分と、少なくとも１セットの三相コイル（たとえば、コイル２４から２７と同じ原理で接続されている）と、変圧器１０のような１セットの二相コイルとを含む。二次側の三相および二相コイルは同じスロット３４および３５内に見出される。
【００６２】
これは、三相電源から任意の数の負荷を平衡をとって供給することを可能にする。たとえば、１１個の負荷を供給するために、三相二次側および１つの二相二次側を使用することが可能である（１１＝３＊３＋２）。
【００６３】
上記で説明されたように、三相部分１１のトポロジーは、強制鎖交磁束を有する３柱固定変圧器の磁束を再現することを可能にする。このため一変形例において、変圧器の三相部分は、それでもなお同じ磁束が再現できるようにしながら、図示されるものとは異なるトポロジーを有してもよい。
【図１】
2015519748.tif 000005
【図２】
2015519748.tif 000006
【図３Ａ】
2015519748.tif 000007
【図３Ｂ】
2015519748.tif 000008
【図３Ｃ】
2015519748.tif 000009
【図３Ｄ】
2015519748.tif 000010
【図３Ｅ】
2015519748.tif 000011
【図４Ａ】
2015519748.tif 000012
【図４Ｂ】
2015519748.tif 000013
【図４Ｃ】
2015519748.tif 000014
【図５】
2015519748.tif 000015
【図６】
2015519748.tif 000016
【国際調査報告】
2015519748.tif 000017
2015519748.tif 000018
2015519748.tif 000019
2015519748.tif 000020